(57)【要約】【課題】エレベーターのかごを調整しなくとも点検作業位置を調整する。【解決手段】エレベーターのかご上に設置された点検作業床と、前記点検作業床を上昇させる作業床用駆動器と、前記点検作業床の上昇を誘導するガイドレールと、を備えることを特徴とする、エレベーターのかご上保守装置。【選択図】図１
2015155340.tif 000002
【特許請求の範囲】
【請求項１】
エレベーターのかご上に設置された点検作業床と、
前記点検作業床を上昇させる作業床用駆動器と、
前記点検作業床の上昇を誘導するガイドレールと、
を備えることを特徴とする、エレベーターのかご上保守装置。
【請求項２】
前記ガイドレールは、前記かごの上昇を制限する
ことを特徴とする、請求項１に記載のエレベーターのかご上保守装置。
【請求項３】
前記点検作業床の下方に点検作業床位置感知スイッチが設けられ、
前記点検作業床の位置が所定の位置にある場合に前記点検作業床位置感知スイッチが押下される
ことを特徴とする、請求項１に記載のエレベーターのかご上保守装置。
【請求項４】
前記点検作業床の位置が最下限位置にある場合に、前記点検作業床位置感知スイッチが押下される
ことを特徴とする、請求項３に記載のエレベーターのかご上保守装置。
【請求項５】
かご上保守装置を備えたエレベーター装置であって、
前記かご上保守装置は、
エレベーターのかご上に設置された点検作業床と、
前記点検作業床を上昇させる作業床用駆動器と、
前記点検作業床の上昇を誘導するガイドレールと、
を備えることを特徴とする、エレベーター装置。
【請求項６】
前記ガイドレールは、前記かごの上昇を制限する
ことを特徴とする、請求項１に記載のエレベーター装置。
【請求項７】
前記点検作業床の下方に点検作業床位置感知スイッチが設けられ、
前記点検作業床の位置が所定の位置にある場合に前記点検作業床位置感知スイッチが押下される
ことを特徴とする、請求項１に記載のエレベーター装置。
【請求項８】
前記点検作業床の位置が最下限位置にある場合に、前記点検作業床位置感知スイッチが押下される
ことを特徴とする、請求項３に記載のエレベーター装置。
【発明の詳細な説明】
【技術分野】
【０００１】
本発明は、エレベーターのかご上保守装置及びエレベーター装置に関する。
【背景技術】
【０００２】
通常、エレベーターの昇降路頂部にメンテナンス機器が設置されているため、保守作業員は、エレベーターのかご上に乗り込んで保守作業を行っている。例えば、特許文献１では、保守作業員がエレベーターのかご上に搭乗する前に、かごの上昇を機械的に制限することができるエレベーターのかご上保守作業用治具が開示されている。
【先行技術文献】
【特許文献】
【０００３】
【特許文献１】特開２０１２−２０８００号公報
【発明の概要】
【発明が解決しようとする課題】
【０００４】
上記特許文献１では、予め保守作業治具でかごの上昇を機械的に制限しているが、エレベーターの昇降路頂部に位置するメンテナンス機器に届くかは、保守作業員がかご上に乗り込まないと把握することができない。したがって、かご上に乗り込んだ後にメンテナンス機器に届かないことが判明した場合には、一旦かご上から降りなければ点検作業位置を調整することができないという問題があった。
【０００５】
本発明は以上の点を考慮してなされたもので、エレベーターのかごを調整しなくとも点検作業位置を調整することが可能なエレベーターのかご上保守装置及びエレベーター装置を提案しようとするものである。
【課題を解決するための手段】
【０００６】
かかる課題を解決するために本発明においては、エレベーターのかご上に設置された点検作業床と、前記点検作業床を上昇させる作業床用駆動器と、前記点検作業床の上昇を誘導するガイドレールと、を備えることを特徴とする、エレベーターのかご上保守装置が提供される。
【０００７】
かかる構成によれば、作業床を上昇させてエレベーターのかご上方に位置するメンテナンス機器に近づくことで、かごを上昇せずとも作業性及び安全性の高いかご上保守作業が可能となる。更に、かご上の作業床を誘導するガイドレールを昇降路の天井に接地させることにより、かごの上昇を機械的に制限して安全性を確保することができる。
【発明の効果】
【０００８】
本発明によれば、エレベーターのかごを調整しなくとも点検作業位置を調整し、かご上の保守作業の作業性及び安全性を高めることができる。
【図面の簡単な説明】
【０００９】
【図１】本発明の一実施形態に係るかご上保守装置の全体構成図である。
【図２】同実施形態にかかるかご上保守装置の上面図である。
【図３】同実施形態にかかる作業用ガイドレールの設置図である。
【図４】同実施形態にかかる点検作業床の詳細図である。
【発明を実施するための形態】
【００１０】
以下図面について、本発明の一実施の形態を詳述する。
【００１１】
まず、図１を参照して、本実施の形態にかかるエレベーターのかご上保守装置の全体構成について説明する。
【００１２】
図１に示すように、エレベーターの昇降路２の頂部には、メンテナンス機器１が取り付けられている。エレベーターの保守作業を行う保守作業員は、かご３の上に乗り込んだ後、かご上に作業床用ガイドレール４を設置する。
【００１３】
かご上保守装置は、予めかご３の上に設置されている。点検作業を行わない場合には、かご上保守装置の点検作業床５は、かご３の上の最下限位置に設置されている。
【００１４】
保守作業員は、作業床用ガイドレール４を設置後、落下防止用柵６を設置する。かご上保守装置の点検作業床５は、メンテナンス機器１に届く位置まで作業床用ガイドレール４に沿って上昇して、保守作業員により点検が実施される構造となっている。
【００１５】
図２は、かご上保守装置を上面から見た図である。かご３の上部にかご枠７があり、かご枠７の上に作業床用ガイドレール４及び点検作業床５が設置される。また、落下防止用柵６は、点検作業スペースを確保するために設置され、作業床用ガイドレール４の外側に設置される。
【００１６】
図３は、作業床用ガイドレール４をかご３の上部に設置した図である。作業床用ガイドレール４は、保守作業員がかご３の上に乗り込んだ後に設置される。予め、かご枠７の上には、ガイドレール受け８が設置されている。
【００１７】
ガイドレール受け８は筒状の形状であり、作業床用ガイドレール４の一端を差し込んで、ガイドレール固定用ボルト９で締結して固定される。ガイドレール受け８には、ガイドレール位置感知スイッチ１０が設けられている。作業床用ガイドレール４がガイドレール受け８に差し込まれている状態では、かご上保守装置の動力電源が入らない構造となっている。
【００１８】
図４は、かご上保守装置の点検作業床５の構造図である。点検作業床５の下に作業用駆動器１１が設けられている。作業用駆動器１１は、例えば、電動パンダグラフジャッキのような形状をしており、電動で点検作業床５を上昇させることができる。
【００１９】
また、点検作業床５の下に点検作業床位置感知スイッチ１２が設けられている。点検作業床位置感知スイッチ１２は、点検作業床５が最下限位置にあるときに押下されている状態となっている。
【００２０】
例えば、点検作業床５が最下限位置にあるときには、作業用駆動器１１が折りたたまれた状態となるため、作業用駆動器１１の一部によって点検作業床位置感知スイッチ１２が押下されている構造としてもよい。また、点検作業床５が最下限位置にない場合、すなわち、保守作業員によって作業用駆動器１１が駆動されて、点検作業床５が上昇すると、点検作業床位置感知スイッチ１２が押下されていない状態となる。
【００２１】
点検作業床位置感知スイッチ１２が押下されていない状態のときには、エレベーターのかご３が上下しないように制御することにより、保守作業員が安全に保守点検作業を行うことができる。
【符号の説明】
【００２２】
１    メンテナンス機器
２    昇降路
３    かご
４    作業床用ガイドレール
５    点検作業床
６    落下防止用柵
７    かご枠
８    ガイドレール受け
９    ガイドレール固定用ボルト
１０  ガイドレール位置感知スイッチ
１１  作業床用駆動機
１２  点検作業床位置感知スイッチ
【図１】
2015155340.tif 000003
【図２】
2015155340.tif 000004
【図３】
2015155340.tif 000005
【図４】
2015155340.tif 000006